(57)【要約】【課題】  ポータブルトイレを重くすること無く簡単な操作でバケツの取出し、格納ができるポータブルトイレを提供する。【解決手段】  使用者が着座する椅子部材１の座面にバケツ６と、便座４とを備えたポータブルトイレにおいて、ノズル２ｂを備えた洗浄装置２と、格納状態であるノズル２ｂの下方にノズルから噴射された洗浄水をバケツ内に案内する案内板８と、案内板８の下方に位置し、案内板８とオーバーラップＬするように椅子部材１にバケツ６を備え、バケツ６は、前記案内板８とオーバーラップＬする第1位置と、第１位置から前方側にスライドした第２位置とを取り得るように椅子部材１に対してスライド自在に載置されているとともに、バケツ６には、前記椅子部材１の前方側で略水平に格納される取っ手９が揺動自在に枢着されている。【選択図】  図１
2008073094.tif 000002
【特許請求の範囲】
【請求項１】
使用者が着座する椅子部材と、椅子部材の座面に着脱自在に載置される排泄物の容器となるバケツと、前記椅子部材に後端が揺動自在に枢着され、起立位置と前記バケツの上面を覆う平位置とを取り得る便座とを備えたポータブルトイレにおいて、
前記便座の着座時における使用者の背中側となる後部側に設けられたノズルを備えた洗浄装置と、
格納状態であるノズルの下方に位置しノズルから噴射された洗浄水をバケツ内に案内する案内板と、
前記案内板の下方に位置し、該案内板とオーバーラップするように椅子部材に載置されたバケツを備え、
該バケツは、前記案内板とオーバーラップする第1位置と、第１位置から前方側にスライドした第２位置とを取り得るように前記椅子部材に対してスライド自在に載置されているとともに、前記バケツには、前記椅子部材の前方側で略水平に格納される取っ手が揺動自在に枢着されていることを特徴とするポータブルトイレ。
【請求項２】
請求項１に記載のポータブルトイレにおいて、前記取っ手の格納状態で、取っ手より後方で、かつバケツの前端より前方側の位置に、バケツ上面と便座の下面との隙間を塞ぐように遮蔽部材を設け、該遮蔽部材で取っ手の握り部を隠蔽するように構成したことを特徴とするポータブルトイレ。
【請求項３】
請求項１に記載のポータブルトイレにおいて、前記バケツが第２位置にある場合は、前記取っ手が格納位置より高い上方位置となるように構成され、該上方位置では取っ手が前記便座下面に当接して便座の平位置への移動に対して拘束力を付与するように構成されていることを特徴とするポータブルトイレ。
【請求項４】
請求項３に記載のポータブルトイレにおいて、前記バケツが第２位置にあって前記取っ手が上方位置にある状態では、前記便座を平位置に移動させる動きに連動して取っ手が格納位置に移動し、これによってバケツを第1位置にスライドさせるように構成されていることを特徴とするポータブルトイレ。
【請求項５】
請求項１ないしは４に記載のポータブルトイレにおいて、前記椅子部材のバケツを支持する支持面とバケツの前記支持面との当接面の間には低摩擦手段が設けられていることを特徴とするポータブルトイレ。
【請求項６】
請求項２に記載のポータブルトイレにおいて、前記遮蔽部材をバケツの上端面に一体的に形成するとともに、該遮蔽部材と取っ手の握り部との間のバケツ上端面に所定の平坦面を形成し、かつ、該平坦面に前記握り部と略対応した長さの凹状の水切り溝を形成したことを特徴とするポータブルトイレ。
【発明の詳細な説明】
【技術分野】
【０００１】
本発明は搬送が可能なポータブルトイレに関し、詳細には便座に洗浄装置が設けられたポータブルトイレに関するものである。
【背景技術】
【０００２】
老人や身障者などが各自の部屋や病室などで用を足すために用いる椅子式のポータブルトイレが知られているが、近年では便座にお尻を洗浄する洗浄装置が設けられたポータブルトイレも普及している。例えば特許文献１参照。
【０００３】
お尻を洗浄する洗浄装置ではノズルの格納状態でノズルを洗浄するのが一般的であるが、このノズルの洗浄に用いた洗浄水を、ポータブルトイレでは椅子に載置されているバケツでトラップする必要があることから、一般的にはノズルの下方にオーバーラップさせる形でバケツを位置させ、これによって洗浄水を確実にトラップできるように構成している。そのため、バケツの取出し時には、バケツを単に垂直に持ち上げるだけでは、バケツ後端とノズルや、ノズルの下方に更にバケツに洗浄水を案内する案内板を設けているような場合はどうしてもこれら部材にバケツの後端が干渉してしまうという問題があった。
【０００４】
この対策のために特許文献１では、バケツを椅子に直接載置するのではなく、前後方向にスライドする引き出し形式の加重受け部材上にバケツを載置するように構成している。これにより、排泄物を捨てる際には、まずこの加重受け部材を介してバケツをオーバーラップが解消できる前方位置まで一旦スライドさせて、その状態でバケツを垂直方向上方に引き上げることでバケツが案内板に干渉することなく取り出せるように工夫したものである。
【０００５】
【特許文献１】特開２００６−９４９０１号公報
【発明の開示】
【発明が解決しようとする課題】
【０００６】
上記のように構成された特許文献１の構造においては、バケツを案内板に干渉することなく取り出すことが可能になっているものの、その取出し方法がバケツを持ち上げるという一つの動作では行えないことから、どうしても煩わしさが残るという問題に加え、用を足さない時や使用者の居場所に合わせて格納や搬送をしたいというポータブルトイレには欠かすことができないニーズに対して、この特許文献１の構造では、引き出し式の加重受け部材のみならずレール等も必要になってしまうことから必然的に重くなってしまい、老人や身体が不自由な人がこのポータブルトイレを搬送するような場合には特に辛い作業を強いることになるという問題があった。
【０００７】
さらに、加重受け部材の格納が確実に行われなかった場合には、バケツが正規な格納位置にないことになるためノズル洗浄用の洗浄水がバケツにトラップされなかったり、排泄物を確実にトラップできなかったり、排泄物の落下に伴うバケツ内の溜め水の飛び散りが過大に生じてしまうなどの問題もあった。
【課題を解決するための手段】
【０００８】
上記の課題を解決するため、本発明に係るポータブルトイレは、使用者が着座する椅子部材と、椅子部材の座面に着脱自在に載置される排泄物の容器となるバケツと、前記椅子部材に後端が揺動自在に枢着され、起立位置と前記バケツの上面を覆う平位置とを取り得る便座とを備えたポータブルトイレにおいて、前記便座の着座時における使用者の背中側となる後部側に設けられたノズルを備えた洗浄装置と、  格納状態であるノズルの下方に位置しノズルから噴射された洗浄水をバケツ内に案内する案内板と、前記案内板の下方に位置し、該案内板とオーバーラップするように椅子部材に載置されたバケツを備え、該バケツは、前記案内板とオーバーラップする第1位置と、第１位置から前方側にスライドした第２位置とを取り得るように前記椅子部材に対してスライド自在に載置されているとともに、前記バケツには、前記椅子部材の前方側で略水平に格納される取っ手が揺動自在に枢着されていることを特徴とするものである。
【０００９】
上記のように構成されていることから、バケツ内の排泄物を捨てるに当たっては、単にバケツの前方側に設けられた取っ手を引き出すように持ち上げるだけでバケツが前方にスライドし、取っ手が垂直状態になった状態ではバケツの後端と案内板との干渉も回避されていることから、一つの取出し動作でバケツを確実に簡単に取り出すことができるものである。
【００１０】
請求項２に記載のポータブルトイレにおいては、前記取っ手の格納状態で、取っ手より後方で、かつバケツの前端より前方側の位置に、バケツ上面と便座の下面との隙間を塞ぐように遮蔽部材を設け、該遮蔽部材で取っ手の握り部を隠蔽するように構成した。
【００１１】
本件発明においては、取っ手を握っての一つの動作によってバケツを案内板との干渉を避けながら取り出せるようにしたため、取っ手をバケツの前方側で格納するように構成している。そのため、小水や、溜め水が取っ手の握り部にかかる恐れがあるが、本発明においては遮蔽部材でそれを確実に防止できるものである。
【００１２】
さらに遮蔽部材によって、ポータブルトイレは専用のトイレブースでない環境下で使用されるため、使用者にとっては排泄時の音が大きな抵抗感や不快感になっていた。本件発明では、この遮蔽部材によって隙間を塞ぐため排泄時の音が漏れるのを抑制でき、使用者の抵抗感や不快感を大きく低減できるという効果を合わせて奏することができる。
【００１３】
請求項３に記載のポータブルトイレにおいては、前記バケツが第２位置にある場合は、前記取っ手が格納位置より高い上方位置となるように構成され、該上方位置では取っ手が前記便座下面に当接して便座の平位置への移動に対して拘束力を付与するように構成されている。
【００１４】
これによって、バケツの格納が不十分な場合は、上方に位置する取っ手が正規な略水平状態の格納位置にならないため、バケツの格納が不十分であることを容易に判断できる。また、便座も正規の平位置にならないように構成されるため、この点でもバケツの不完全な格納状態を認識できる。よって、バケツ内に洗浄装置のノズル洗浄用の洗浄水や、排泄物をトラップできない状態で誤ってノズル洗浄が行われたり、排泄されてしまうということを抑制できる。
【００１５】
請求項４に記載のポータブルトイレにおいては、前記バケツが第２位置にあって、前記取っ手が上方位置にある状態では、前記便座を平位置に移動させる動きに連動して取っ手が格納位置に移動し、これによってバケツを第1位置にスライドさせるように構成されている。
【００１６】
これによって、バケツが正規な格納位置にない場合に、わざわざ便座を起立位置にしてバケツを正規な格納位置に修正させることなく、単に、便座を平位置に押圧したり、もしくは、気にせず便座に着座することで取っ手の格納位置への移動に伴って、バケツが正規な格納位置に自動的にスライドしてくれるという実用上極めて有効な効果を奏することができるものである。
【００１７】
請求項５に記載のポータブルトイレにおいては、前記椅子部材のバケツを支持する支持面とバケツの前記支持面との当接面の間には低摩擦手段が設けられている。
【００１８】
これによって、溜め水や排泄物が入ったバケツでも簡単にスライドするようになることから、バケツの取出し時やバケツの格納時、さらには、請求項４の便座の押圧による取っ手の格納方向への移動に対して、自動的にバケツをスライド動作させるという機能に対しても取っ手の強度等をむやみに高めることなく確実に動作を保障させることができるものである。
【００１９】
請求項６に記載のポータブルトイレにおいては、前記遮蔽部材をバケツの上端面に一体的に形成するとともに、該遮蔽部材と取っ手の握り部との間のバケツ上端面に所定の平坦面を形成し、かつ、該平坦面に前記握り部と略対応した長さの凹状の水切り溝を形成したものである。
【００２０】
これによって、遮蔽部材を超えてしまった小水などがあったとしても、小水がバケツ上面を垂れる過程で確実に水切り溝でそれをトラップできることから、確実に取っ手の握り部が汚れるということを防止できるものである。
【発明の効果】
【００２１】
本発明に係るポータブルトイレによれば、ポータブルトイレを重くしたりすることなく、洗浄装置のノズルや案内板との干渉を確実に避けながら簡単にバケツを取り出せるというポータブルトイレの分野において極めて優れた特有の効果を奏することができるものである。
【発明を実施するための最良の形態】
【００２２】
以下に本発明を実施するための最良の形態を図面に基づいて詳細に説明する。図１は本発明に係る洗浄装置付のポータブルトイレの斜視図を示すものであって、木製の椅子部材１の座面１ａ上には、その後端部にお尻を洗浄する洗浄装置２が固定されているとともに、この洗浄装置２の前面部に対してヒンジ３を介して便座４が図に示す平位置と起立させた起立位置との２位置を取り得るように揺動自在に支持されている。
【００２３】
図中５は、ポータブルトイレを椅子として使用する際に使用者が着座するためのクッション性のある座部であり、この座部５は、便座４の上面を覆い、便座４に着座させる水平位置で座部となり、図に示すように支持部材５ａを介して二つ折りの状態で起立させることで、用を足すときには椅子部材１の背もたれ部１ｂに当接してクッション性のある背もたれとして機能するように構成されている。
【００２４】
なお、図中２ａは洗浄装置２の機能を選択する操作パネルであり、１ｅ，１ｆは肘掛である。図から見て取れるように一方側の肘掛１ｆが短く構成されており、これは、身体の不自由な人が短い肘掛１ｆ側から肘掛１ｆに身体を支えながらポータブルトイレに短くなった肘掛１ｆ側から身体を容易に滑り込ませることができるように配慮したものである。
【００２５】
次に、便座４の中心に開けられた開口部４ａ内に着目して説明する。便座４の下方で椅子部材１の座面１ａには開口部４ａと対応しつつ、開口部４ａより大きなバケツ６の収納用開口１ｄが形成されている。この収納用開口１ｄの周縁には後述するバケツ６を支える階段状の支持面１ｃが形成されており、この支持面１ｃにバケツ６のフランジ６ａが載置されることでバケツ６が椅子部材１に支持されるように構成されている。
【００２６】
図中７はバケツ６の開口を覆う蓋であって、この蓋７が臭いやバケツ６搬送時の溜め水の飛散を防止する役割を果たしているものである。
【００２７】
次に洗浄装置２の開口部４ａ側には、お尻を洗浄するためのノズル２ｂが図のような格納状態と伸張状態とを取り得るように設けられ、そのノズル２ｂの下方には椅子部材１の座面１ａに固定された案内板８が設けられている。この案内板８はノズル２ｂの下方に位置することで、ノズル２ｂが自らのノズル２ｂを洗浄するために噴射した洗浄水をバケツ６内に確実に案内するために設けられているものである。ここで、ノズル２ｂの洗浄について補足すると、ノズル２ｂが図の格納状態にある時に、ノズル２ｂを洗浄するために、ノズル２ｂからノズル２ｂの上方に位置する洗浄室２ｃの上壁に向けてノズル２ｂが自ら洗浄水を噴射し、その跳ね返りの洗浄水でノズル２ｂを清掃するように構成されており、このノズル２ｂを洗浄した洗浄水が案内板８の上面に落下し、そして案内板８を伝ってバケツ６内に落下するようになっているものである。
【００２８】
図２は、図１と同じく斜視図であるが、洗浄装置２、便座４及び座部５などを取り除いて、椅子部材１の座面１ａとバケツ６が確認しやすいようにしたものである。以下同様であるが、図１と同じものは同じ符号を付して詳細な説明を省略する。
【００２９】
図２では、便座４が取り除かれているため、便座４の前部下方に対応する位置にバケツ６を取り出したり、搬送するための略Ｕ字状の取っ手９がバケツ６の前方側で格納されていることが理解でき、この取っ手９は、更にバケツ６の側方上部に跨る形でバケツ６に揺動自在に取り付けられていることが見て取れる。なお、図に示す取っ手９の状態は、水平になった正規の格納位置にある状態である。
【００３０】
次に、図に示すバケツ６の正規な格納状態においては、バケツ６の中心から前方側の周囲全周に渡って隙間１０が連続的に設けられている。これは、座面１ａ上に形成されたバケツの収納用開口１ｄがバケツ６の長手方向となる前後方向長さより長く開口していることを意味し、バケツ６が収納用開口１ｄで前後方向にスライドできるように構成されているものである。このスライドを保障するために支持面１ｃ上にバケツ６のフランジ６ａが載置されていることは言うまでもない。
【００３１】
次に図３を用いて前述したバケツ６のスライドを許容した理由を説明する。図３は、一部断面図を用いた側面図であって、この図から明らかな通り、バケツ６は、正規な格納状態では先に述べたノズル２ｂの洗浄用の洗浄水を確実にトラップできるように、前記した案内板８の下方においてＬの長さだけ案内板８とバケツ６の後端がオーバーラップするように配置されている。これによって案内板８上を落下するノズル２ｂの洗浄用の洗浄水がバケツ６内に確実に落下させることができるものである。そのために、バケツ６の後端（図中左側）には図５からも明確な通り、案内板８とオーバーラップできるように後端部が凹部６ｂによって大きく切りかかれる形で構成されている。
【００３２】
次に、本件発明においては、バケツ６の取り出しを容易化するために取っ手９を格納状態で図に示す通り前方側に位置するように配置しており、これに関連して本件発明で更に工夫を施している観点につき説明をする。
【００３３】
バケツ６上面と便座４の下方には一般的に隙間Ｌ１が存在するが、本件発明においては、この隙間Ｌ１をバケツのフランジ６ａから上方に一体的に延設させることで構成した遮蔽部６ｃで遮蔽するように構成している。これによって、隙間Ｌ１から小水やバケツ６内の溜め水が飛び散って取っ手９の握り部９ｂにこれらが付着することを防止しているものである。この遮蔽部６ｃによって、清潔にバケツ６の取り出しを行うことができ介護をする方などの不快感を解消できるものである。
【００３４】
さらに、この遮蔽部６ｃは、便座４を図に示す平位置にした場合には、その便座４の下面に押圧される形で密接に当接するように構成されており、これによって、図５に示すバケツ６の単体斜視図からも見て取れるように遮蔽部６ｃは後端部を除いて長く設けられているため、隙間Ｌ１を略全周に渡ってきっちりと遮蔽するため、ポータブルトイレでは大きな使用者の負担になっていた使用時の音という問題に対して有効に機能し、音の漏れを軽減し、トイレ専用ブースではないという使用環境にあっても、不安感、不快感大きく持つことなく用を足すことができるという優れた効果を奏することも合わせてできるものである。
【００３５】
次に図４を用いてバケツ６の取り出し・格納方法について詳述する。まずは、用を足した後にバケツ６を取り出す場合につき説明を行う。用を足した後、バケツ６を取り出すに当たっては、第４ａ図に示す如く、まずは便座４を起立状態に揺動させ、その後、露出した取っ手９の握り部９ｂを持ち上げながら矢印Ａ方向、すなわち自然な方向である使用者の方向に引っ張りながら取っ手９を持ち上げることで容易にバケツ６は前方となるＡ方向（図中左側）に移動し、案内板８とのオーバーラップが干渉してバケツ６は上方に取り出すことが可能になる。
【００３６】
ここで、本発明では更に工夫が施されている観点につき説明する。すなわち、Ａ方向にバケツ６をスライドさせるに当たり、バケツ６には溜め水に加え排泄物も入っているためある程度の重さがあるが、本件発明では、これが簡単にスライドできるように椅子部材１の支持面１ｃ上に当接するバケツ６のフランジ６ａの下面に突起６ｄを複数個一体的に形成することで接触面積を減らし、摺動抵抗を低下させて、これによってポータブルトイレの重さに抗してバケツ６だけが簡単に使用者側にスライドするようにしているものである。なお、ここでは、バケツ６に突起６ｄを設けているが、椅子部材１の支持面１ｃ側に突起を形成してもよく、また、突起に限らず、低摩擦のテープや低摩擦の樹脂部材を貼り付けたり、ローラーを用いるなどの低摩擦処理を行うことで良いことは言うまでもない。
【００３７】
なお、バケツ６が前方に移動した状態にあっては、第４ｂ図として紹介するまでもなく、取っ手９を介して上方に持ち上げることでバケツ６の後端は案内板８に干渉することなく取り出せるものである。
【００３８】
次にバケツ６をポータブルトイレに格納する手順を説明する。このバケツ６の格納は、溜め水が入っていると重くなるバケツ６を椅子部材１に一旦載置などした後に、力が入り難い方向となる自分から離れる方向にバケツ６を後方に移動させるという作業になる。これによって、案内板８とバケツ６の後端の干渉を避けながら、格納状態では両者をオーバーラップさせることができる。しかしこの作業は、健常者であれば問題ないことでも、年配者や身体が不自由な人が行う場合は辛い作業となり得る。本件発明では、このバケツ６の格納操作に対しても繊細に工夫を施しているものである。
【００３９】
以下に第４ｃ図を用いてバケツ６の格納操作を説明する。便座４を起立させた状態においてバケツ６を椅子部材１の収納用開口１ｄに挿通させるとともに、支持面１ｃにバケツ６のフランジ６ａを当接させることでバケツ６を椅子部材１に載置する。この時点では、案内板８とバケツ６の凹部６ｂがオーバーラップしないか、若干配慮しながら後方に格納させれば僅かにオーバーラップしているという状況である。この状態では、バケツ６は完全な格納位置になっていないため、当然この状態でノズル２ａの洗浄や用を足されることは好ましくない。
【００４０】
本件発明においては、この状態では図に示す如く取っ手９が正規な水平な格納位置にならないようにしているのが一つの工夫点である。これによって取っ手９の非正規な格納状態や、便座４も正規な平位置にならないためバケツ６が正規な格納状態にないことを容易に判断できる。よって、確実にバケツ６の非正常な格納状態で使用されるということを抑制できるものである。さらに、バケツ６が非正常な状態にあるとわかった場合は、使用者は再度取っ手９を持ってバケツを持ち上げながら後方に移動させることもできるが、この作業は辛いため、力が弱い人は、傾いている取っ手９を後方に押すことでバケツ６を容易にスライドさせることができ、これであればバケツ６を持ち上げたり、身体から離れる方向に重いバケツ６を移動させる等の作業が不要になるため極めて容易にバケツ６を正規な格納状態にでき、案内板８とバケツ６を確実にオーバーラップさせることができる。
【００４１】
さらに、本件発明では繊細な工夫を施しているものであり、図に示すようなバケツ６が正規な格納状態にない場合に、便座４を正規な位置にするように上から便座４を押圧する、もしくは用を足すために単に便座４に着座するという行為によって、便座４に設けた当接部４ａが取っ手９に当接しつつ取っ手９を下方に押圧する。これによって、取っ手９はその下方への力を受けて、取っ手９に形成した曲面状の曲面部９ｃが椅子部材１の支持面１ｃに形成した傾斜面１ｇに当接し、この傾斜面１ｇにガイドされることでバケツ６が後方側となる図面右側に移動し、案内板８とバケツ６の後端とが確実にオーバーラップする正規な位置までバケツ６が自動的にスライドするものである。以上のことから明確な通り、案内板８とバケツ６をオーバーラップさせるという辛い煩わしい作業を一切気にすることなくバケツを格納できるものである。
【００４２】
更に本件発明では、重いバケツ６のスライド動作を軽量化するために、バケツ６と支持面１ｃとの間に発生する摩擦力を低減するように工夫しており、これによって操作力を軽減できるだけでなく、取っ手９が変形してしまうと十分なスライド力を確保できなくなるが、摩擦力を低減することで取っ手９の強度を大きくする必要がなく、これによって、それでなくても重くなるバケツ６を重くしなくて良いという効果を奏することができるものである。具体的には、バケツ６のフランジ６ａの下面に支持面１ｃに点接触させるための突起６ｄが複数設けられているものである。
【００４３】
最後に、図５を用いてバケツ６の詳細を説明する。先の説明で説明した内容は同じ符号を付して省略する。このバケツ６は、消音バケツであり、第５ｂ図に示す通り小水が当接する部分に凸部６ｅが形成されている。この凸部６ｅは、凸部分の剛性を高めることで振動を抑制しているものであるが、本発明では、その凸部６ｅの形状を詳細に最適化しているものである。
【００４４】
具体的には、凸部６ｅ単に凸状に形成しただけでは、大きく凸状に突出させないと、面強度が高くできないため音の発生を軽減できず、さらに、凸部が高くなるため小水が凸部で分流して溜め水に落下することから落下音が大きく発生するという問題が生じる。本件発明では、まず、一段の棚部６ｆを形成し、その棚部６ｆの中央に上方が三角形状で下方に向かうほど広がるような形状の第２凸部６ｇを形成することで凸部６ｅを構成した。このように構成することで、凸部６ｅをさほど高くすることなしに面剛性を高めることができることから、小水の衝突による衝撃音や、小水が凸部の頂部で二つに分流してバケツ６内に集中して落下することがなく、凸部６ｅに膜がはるような形で溜め水に分散して落下するため落下音も大幅に軽減できるものである。
【００４５】
図中６ｈは、フランジ６ａの上面で、取っ手９の握り部９ｂに略対応する形で凹状に形成された水切り溝である。これは、遮蔽部材６ｃを設けてはいるものの、便座４の着座状態が不備であったりすると、遮蔽部材６ｃを乗り越えて僅かながらでも握り部９ｂ側に小水等が垂れてくる事が否定できない。この水切り溝９ｈは、そういう遮蔽部材６ｃを乗り越えて垂れてきた小水があっても、その小水が握り部９ｂに触れることがないように、その事前に水切り溝９ｈ内で溜まるようにしたものである。これで確実に握り部９ｂを前方側に格納した本件であっても、使用者は汚れに対する不安を招くことなく握り部９ｂを握ってバケツ６を搬送できるようにしたものである。
【図面の簡単な説明】
【００４６】
【図１】本発明に係るポータブルトイレの斜視図
【図２】同ポータブルトイレの一部装置を外した状態の斜視図
【図３】同ポータブルトイレの側面図
【図４】バケツの取出し、格納に関する動作説明図
【図５】バケツの単体図
【符号の説明】
【００４７】
１…椅子部材
１ａ…座面
１ｂ…背もたれ部
１ｃ…支持面
１ｄ…収納用開口
１ｅ…肘掛
１ｆ…肘掛
１ｇ…傾斜面
２…洗浄装置
２ｂ…ノズル
４…便座
５…座部
６…バケツ
６ａ…フランジ
６ｂ…凹部
６ｃ…遮蔽部材
６ｄ…突起
６ｈ…水切り溝
８…案内板
９…取っ手
９ｂ…握り部
９ｃ…曲面部
Ｌ…オーバーラップ代
【図１】
2008073094.tif 000003
【図２】
2008073094.tif 000004
【図３】
2008073094.tif 000005
【図４】
2008073094.tif 000006
【図５】
2008073094.tif 000007
【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
使用者が着座する椅子部材と、椅子部材の座面に着脱自在に載置される排泄物の容器となるバケツと、前記椅子部材に後端が揺動自在に枢着され、起立位置と前記バケツの上面を覆う平位置とを取り得る便座とを備えたポータブルトイレにおいて、
前記便座の着座時における使用者の背中側となる後部側に設けられたノズルを備えた洗浄装置と、
格納状態であるノズルの下方に位置しノズルから噴射された洗浄水をバケツ内に案内する案内板と、
前記案内板の下方に位置し、該案内板とオーバーラップするように椅子部材に載置されたバケツを備え、
該バケツは、前記案内板とオーバーラップする第1位置と、第１位置から前方側にスライドした第２位置とを取り得るように前記椅子部材に対してスライド自在に載置されているとともに、前記バケツには取っ手が揺動自在に枢着されており、
該取っ手は、前記バケツの前方側で前記椅子部材に略水平な状態で格納されるように構成されているとともに、前記バケツが第２位置にある場合は、前記取っ手が水平な格納位置より高い上方位置となるように構成され、かつ前記取っ手が前記上方位置にある時は前記便座下面に当接するよう構成されており、更に、前記取っ手が前記便座下面に当接する状態において前記便座を平位置に移動させると、その便座の平位置への移動に連動して前記取っ手が格納位置に移動することによって前記バケツが第1位置にスライドするように構成されていることを特徴とするポータブルトイレ。
【請求項２】
請求項１に記載のポータブルトイレにおいて、前記取っ手の格納状態で、取っ手より後方で、かつバケツの前端より前方側の位置に、バケツ上面と便座の下面との隙間を塞ぐように遮蔽部材を設け、該遮蔽部材で取っ手の握り部を隠蔽するように構成したことを特徴とするポータブルトイレ。
【請求項３】
請求項１に記載のポータブルトイレにおいて、前記椅子部材のバケツを支持する支持面とバケツの前記支持面との当接面の間には低摩擦手段が設けられていることを特徴とするポータブルトイレ。
【請求項４】
請求項２に記載のポータブルトイレにおいて、前記遮蔽部材をバケツの上端面に一体的に形成するとともに、該遮蔽部材と取っ手の握り部との間のバケツ上端面に所定の平坦面を形成し、かつ、該平坦面に前記握り部と略対応した長さの凹状の水切り溝を形成したことを特徴とするポータブルトイレ。
【手続補正２】
【補正対象書類名】明細書
【補正対象項目名】０００８
【補正方法】変更
【補正の内容】
【０００８】
上記の課題を解決するため、本発明に係るポータブルトイレは、使用者が着座する椅子部材と、椅子部材の座面に着脱自在に載置される排泄物の容器となるバケツと、前記椅子部材に後端が揺動自在に枢着され、起立位置と前記バケツの上面を覆う平位置とを取り得る便座とを備えたポータブルトイレにおいて、前記便座の着座時における使用者の背中側となる後部側に設けられたノズルを備えた洗浄装置と、格納状態であるノズルの下方に位置しノズルから噴射された洗浄水をバケツ内に案内する案内板と、前記案内板の下方に位置し、該案内板とオーバーラップするように椅子部材に載置されたバケツを備え、該バケツは、前記案内板とオーバーラップする第1位置と、第１位置から前方側にスライドした第２位置とを取り得るように前記椅子部材に対してスライド自在に載置されているとともに、前記バケツには取っ手が揺動自在に枢着されており、該取っ手は、前記バケツの前方側で前記椅子部材に略水平な状態で格納されるように構成されているとともに、前記バケツが第２位置にある場合は、前記取っ手が水平な格納位置より高い上方位置となるように構成され、かつ前記取っ手が前記上方位置にある時は前記便座下面に当接するよう構成されており、更に、前記取っ手が前記便座下面に当接する状態において前記便座を平位置に移動させると、その便座の平位置への移動に連動して前記取っ手が格納位置に移動することによって前記バケツが第1位置にスライドするように構成されていることを特徴とするものである。
【手続補正３】
【補正対象書類名】明細書
【補正対象項目名】０００９
【補正方法】変更
【補正の内容】
【０００９】
上記のように構成されていることから、バケツ内の排泄物を捨てるに当たっては、単にバケツの前方側に設けられた取っ手を引き出すように持ち上げるだけでバケツが前方にスライドし、取っ手が垂直状態になった状態ではバケツの後端と案内板との干渉も回避されていることから、一つの取出し動作でバケツを確実に簡単に取り出すことができるものである。また、バケツの格納が不十分な場合は、上方に位置する取っ手が正規な略水平状態の格納位置にならないため、バケツの格納が不十分であることを容易に判断できる。また、便座も正規の平位置にならないように構成されるため、この点でもバケツの不完全な格納状態を認識できる。よって、バケツ内に洗浄装置のノズル洗浄用の洗浄水や、排泄物をトラップできない状態で誤ってノズル洗浄が行われたり、排泄されてしまうということを抑制できる。更に、バケツが正規な格納位置にない場合に、わざわざ便座を起立位置にしてバケツを正規な格納位置に修正させることなく、単に、便座を平位置に押圧したり、もしくは、気にせず便座に着座することで取っ手の格納位置への移動に伴って、バケツが正規な格納位置に自動的にスライドしてくれるという実用上極めて有効な効果を奏することができるものである。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
請求項１に記載のポータブルトイレにおいては、前記椅子部材のバケツを支持する支持面とバケツの前記支持面との当接面の間には低摩擦手段が設けられている。
【手続補正９】
【補正対象書類名】明細書
【補正対象項目名】００１８
【補正方法】変更
【補正の内容】
【００１８】
これによって、溜め水や排泄物が入ったバケツでも簡単にスライドするようになることから、バケツの取出し時やバケツの格納時、さらには、請求項１の便座の押圧による取っ手の格納方向への移動に対して、自動的にバケツをスライド動作させるという機能に対しても取っ手の強度等をむやみに高めることなく確実に動作を保障させることができるものである。
【手続補正１０】
【補正対象書類名】明細書
【補正対象項目名】００１９
【補正方法】変更
【補正の内容】
【００１９】
請求項２に記載のポータブルトイレにおいては、前記遮蔽部材をバケツの上端面に一体的に形成するとともに、該遮蔽部材と取っ手の握り部との間のバケツ上端面に所定の平坦面を形成し、かつ、該平坦面に前記握り部と略対応した長さの凹状の水切り溝を形成したものである。